(57)【要約】【課題】  プラント監視部と遠隔端末とをＷＡＮを介して遠隔地に配置しても、イベントは送信順序通りに受信側で処理できるプラント監視用マンマシン装置を提供する。【解決手段】  プラント９を監視するプラント監視部７０１と、プラント監視部７０１とＷＡＮ７００を介して接続されプラント９を制御する遠隔端末７１１とを有し、イベント遠隔通信送信手段６１は送信するイベントにＩＤおよび送信時刻情報を付加し、イベント遠隔通信受信手段６２は受信したイベントに受信時刻情報を付加し、プラント監視部７０１には、イベントを送信時刻順に並び替え並び替えられた順の最初から所定の時間内の受信時刻までのイベントをイベント入力配送手段２に配送するイベント序列配送手段６４を備える。【選択図】        図１
2006185263.tif 000002
【特許請求の範囲】
【請求項１】
プラントを監視するプラント監視部と、上記プラント監視部とＷｉｄｅＡｒｅａＮｅｔｗｏｒｋを介して接続され上記プラントを制御する遠隔端末とを有し、上記遠隔端末は、イベントの入力を行うオペレータ入出力手段と、上記イベントを上記プラント監視部へ送信するためのイベント遠隔通信送信手段と、上記プラント監視部から情報を受信するオペレータ出力遠隔通信受信手段とを備え、上記プラント監視部は、上記イベントを所定の配送先に配送するイベント入力配送手段と、上記イベント遠隔通信送信手段から送信される上記イベントを受信するイベント遠隔通信受信手段と、上記イベントに対するオペレータ出力を上記オペレータ出力遠隔通信受信手段に送信するオペレータ出力遠隔通信送信手段とを備えたプラント監視用マンマシン装置において、
上記イベント遠隔通信送信手段は送信する上記イベントにＩＤおよび送信時刻情報を付加し、上記イベント遠隔通信受信手段は受信した上記イベントに受信時刻情報を付加し、上記プラント監視部には、上記イベントを送信時刻順に並び替え並び替えられた順の最初から所定の時間内の受信時刻までの上記イベントを上記イベント入力配送手段に配送するイベント序列配送手段を備えたことを特徴とするプラント監視用マンマシン装置。
【請求項２】
プラントを監視するプラント監視部と、上記プラント監視部とＷｉｄｅＡｒｅａＮｅｔｗｏｒｋを介して接続され上記プラントを制御する遠隔端末とを有し、上記遠隔端末は、イベントの入力を行うオペレータ入出力手段と、上記イベントを上記プラント監視部へ送信するためのイベント遠隔通信送信手段と、上記プラント監視部から情報を受信するオペレータ出力遠隔通信受信手段とを備え、上記プラント監視部は、上記イベントを所定の配送先に配送するイベント入力配送手段と、上記イベント遠隔通信送信手段から送信される上記イベントを受信するイベント遠隔通信受信手段と、上記イベントに対するオペレータ出力を上記オペレータ出力遠隔通信受信手段に送信するオペレータ出力遠隔通信送信手段とを備えたプラント監視用マンマシン装置において、
上記オペレータ出力遠隔通信送信手段は送信する上記オペレータ出力にＩＤおよび送信時刻情報を付加し、上記オペレータ出力遠隔通信受信手段は受信した上記オペレータ出力に受信時刻情報を付加し、上記遠隔端末には、上記オペレータ出力を送信時刻順に並び替え並び替えられた順の最初から所定の時間内の受信時刻までの上記オペレータ出力を上記オペレータ入出力手段に配送するオペレータ出力序列配送手段を備えたことを特徴とするプラント監視用マンマシン装置。
【請求項３】
プラントを監視するプラント監視部と、上記プラント監視部とＷｉｄｅＡｒｅａＮｅｔｗｏｒｋを介して接続され上記プラントを制御する遠隔端末とを有し、上記遠隔端末は、イベントの入力を行うオペレータ入出力手段と、上記イベントを上記プラント監視部へ送信するためのイベント遠隔通信送信手段と、上記プラント監視部から情報を受信するオペレータ出力遠隔通信受信手段とを備え、上記プラント監視部は、上記イベントを所定の配送先に配送するイベント入力配送手段と、上記イベント遠隔通信送信手段から送信される上記イベントを受信するイベント遠隔通信受信手段と、上記イベントに対するオペレータ出力を上記オペレータ出力遠隔通信受信手段に送信するオペレータ出力遠隔通信送信手段とを備えたプラント監視用マンマシン装置において、
上記イベント遠隔通信送信手段は送信する上記イベントにＩＤおよび送信時刻情報を付加し、上記イベント遠隔通信受信手段は受信した上記イベントに受信時刻情報を付加し、上記オペレータ出力遠隔通信送信手段は送信する上記オペレータ出力にＩＤおよび送信時刻情報を付加し、上記オペレータ出力遠隔通信受信手段は受信した上記オペレータ出力に受信時刻情報を付加し、上記プラント監視部には、上記イベントを送信時刻順に並び替え並び替えられた順の最初から所定の時間内の受信時刻までの上記イベントを上記イベント入力配送手段に配送するイベント序列配送手段を、上記遠隔端末には、上記オペレータ出力を送信時刻順に並び替え並び替えられた順の最初から所定の時間内の受信時刻までの上記オペレータ出力を上記オペレータ入出力手段に配送するオペレータ出力序列配送手段をそれぞれ備えたことを特徴とするプラント監視用マンマシン装置。
【請求項４】
上記プラントが複数存在し上記各プラントをそれぞれ監視するプラント監視部が複数存在する場合、上記遠隔端末のイベント遠隔通信送信手段は、上記イベントがいずれの所定のプラント監視部に送信すべき情報であるかの情報を有する上記イベント遠隔通信送信情報を参照し、上記イベントの送信先の上記所定のプラント監視部を決定して、上記所定のプラント監視部のイベント遠隔通信受信手段に上記イベントを送信することを特徴とする請求項１ないし請求項３のいずれかに記載のプラント監視用マンマシン装置。
【請求項５】
上記遠隔端末が複数存在する場合、上記プラント監視部のオペレータ出力遠隔通信送信手段は、上記オペレータ出力がいずれの所定の遠隔端末に送信すべき情報であるかの情報を有するオペレータ出力遠隔通信送信情報を参照し、上記オペレータ出力の送信先を決定して、上記所定の遠隔端末のオペレータ出力遠隔通信受信手段に上記オペレータ出力を送信することを特徴とする請求項１ないし請求項４のいずれかに記載のプラント監視用マンマシン装置。
【発明の詳細な説明】
【技術分野】
【０００１】
この発明は、発電プラントまたは工業プラント等のプラントの運転状態を監視し、その状態をオペレータに出力すると共に、オペレータからの操作に応じて表示やデータ送信等の制御を行うプラント監視用マンマシン装置に関し、特にＷＡＮ（ＷｉｄｅＡｒｅａＮｅｔｗｏｒｋの略称であり、以下はＷＡＮと称す。）にて接続する場合においてそのイベントの到着遅延を解消するためのものである。
【背景技術】
【０００２】
従来のプラント監視用マンマシン装置は集中監視部と複数の遠隔端末とにて成り、それぞれがネットワークで接続されている。そして、集中監視部はイベント入力配送手段、処理タスク起動手段、処理タスク実行手段、オペレータ（以下、ＯＰと略して示す。）出力処理手段、イベント入力配送情報、処理タスク起動情報、処理タスク、ＯＰ出力部品を有し、複数の遠隔端末はＣＲＴディスプレイ、タッチパネル、キーボード、スピーカ、マイクを有するオペレータ入出力機器とオペレータ入出力手段を有する。
【０００３】
そして、オペレータ入出力機器を介してオペレータ入出力手段でイベントが発生すると、イベントをネットワーク通信のプロトコルに沿って、集中監視部に実装したイベント入力配送手段へネットワークを介して送信する。またＯＰ出力処理でＯＰ出力が発生すると、ＯＰ出力をネットワーク通信のプロトコルに沿って、遠隔端末に実装したオペレータ入出力手段へネットワークを介して送信する（例えば、特許文献１参照）。
【０００４】
【特許文献１】特許２８２１０９０号公報
【発明の開示】
【発明が解決しようとする課題】
【０００５】
従来の集中監視部と遠隔端末とがネットワークで接続されたプラント監視用マンマシン装置では、ネットワークとしてＬＡＮを対象としているため、集中監視部と遠隔端末を広域に配置し、遠隔監視を行うことができない。そこで、ＷＡＮ等に接続して遠隔監視することが可能である。しかしながら、ＷＡＮに接続する場合、プロトコルなどは適当なものに変更することにより対応することができるが、ＷＡＮを介することによりイベントの遅延が発生する可能性があるため、制御に差し障りが生じるという問題点があった。
【０００６】
この発明は上記のような課題を解決するためになされたものであり、遠隔端末とプラント監視部とをネットワークとしてＷＡＮを介して接続しても、遠隔端末およびプラント監視部間にて正確に制御を行うことができるプラント監視用マンマシン装置を提供することを目的とする。
【課題を解決するための手段】
【０００７】
この発明は、プラントを監視するプラント監視部と、プラント監視部とＷｉｄｅＡｒｅａＮｅｔｗｏｒｋを介して接続されプラントを制御する遠隔端末とを有し、遠隔端末は、イベントの入力を行うオペレータ入出力手段と、イベントをプラント監視部へ送信するためのイベント遠隔通信送信手段と、プラント監視部から情報を受信するオペレータ出力遠隔通信受信手段とを備え、プラント監視部は、イベントを所定の配送先に配送するイベント入力配送手段と、イベント遠隔通信送信手段から送信されるイベントを受信するイベント遠隔通信受信手段と、イベントに対するオペレータ出力をオペレータ出力遠隔通信受信手段に送信するオペレータ出力遠隔通信送信手段とを備えたプラント監視用マンマシン装置において、
イベント遠隔通信送信手段は送信するイベントにＩＤおよび送信時刻情報を付加し、イベント遠隔通信受信手段は受信したイベントに受信時刻情報を付加し、プラント監視部には、イベントを送信時刻順に並び替え並び替えられた順の最初から所定の時間内の受信時刻までのイベントをイベント入力配送手段に配送するイベント序列配送手段を備えたものである。
【発明の効果】
【０００８】
この発明のプラント監視用マンマシン装置は、プラントを監視するプラント監視部と、プラント監視部とＷｉｄｅＡｒｅａＮｅｔｗｏｒｋを介して接続されプラントを制御する遠隔端末とを有し、遠隔端末は、イベントの入力を行うオペレータ入出力手段と、イベントをプラント監視部へ送信するためのイベント遠隔通信送信手段と、プラント監視部から情報を受信するオペレータ出力遠隔通信受信手段とを備え、プラント監視部は、イベントを所定の配送先に配送するイベント入力配送手段と、イベント遠隔通信送信手段から送信されるイベントを受信するイベント遠隔通信受信手段と、イベントに対するオペレータ出力をオペレータ出力遠隔通信受信手段に送信するオペレータ出力遠隔通信送信手段とを備えたプラント監視用マンマシン装置において、
イベント遠隔通信送信手段は送信するイベントにＩＤおよび送信時刻情報を付加し、イベント遠隔通信受信手段は受信したイベントに受信時刻情報を付加し、プラント監視部には、イベントを送信時刻順に並び替え並び替えられた順の最初から所定の時間内の受信時刻までのイベントをイベント入力配送手段に配送するイベント序列配送手段を備えたので、プラント監視部と遠隔端末とをＷＡＮを介して遠隔地に配置して通信を行っても、イベントは送信順序通りに受信側で処理することができる。
【発明を実施するための最良の形態】
【０００９】
実施の形態１．
以下、この発明の実施の形態について説明する。図１はこの発明の実施の形態１のプラント監視用マンマシン装置の構成を示す図、図２ないし図４は図１に示したプラント監視用マンマシン装置の動作を説明するためのフローチャート、図５は図１に示したプラント監視用マンマシン装置のイベントテーブルの構成を示した図、図６は図１に示したプラント監視用マンマシン装置のＯＰ出力テーブルの構成を示した図である。図において、プラント９を監視するプラント監視部７０１と、プラント監視部７０１から遠隔に配置されプラント９の制御を行うための遠隔端末７１１とを備え、それぞれがＷＡＮ７００を介して接続されている。
【００１０】
遠隔端末７１１は、ＣＲＴディスプレイ１１、タッチパネル１２、キーボード１３、スピーカ１４、およびマイク１５等にて成るオペレータ入出力機器１００と、このオペレータ入出力機器１００に入出力を行うオペレータ入力手段１と、オペレータ入出力手段１からのイベントを入力し、ＷＡＮ７００に適合した通信プロトコルに基づくイベントにＩＤおよび送信時刻情報を付加して出力するイベント遠隔通信送信手段６１と、ＯＰ出力遠隔通信送信手段７１からの通信プロトコルに基づいたＯＰ出力を入力し受信時刻情報を付加して出力するＯＰ出力遠隔通信受信手段７２と、ＯＰ出力遠隔通信受信手段７２の出力するＯＰ出力をＯＰ出力テーブル７５で管理し、送信時刻順にオペレータ入出力手段１に出力するＯＰ出力序列配送手段７４とにて成る。
【００１１】
さらに、プラント監視部７０１は、プラント９やイベント遠隔通信送信手段６１からのイベントを入力し、指令イベントまたはＯＰ出力命令を出力し、イベント配送情報２１を参照するイベント入力配送手段２と、指令イベントを入力し、起動指令命令を出力し、処理タスク起動情報３１を参照する処理タスク起動手段３と、起動指令命令を入力し、モジュール化された処理タスク４１を起動実行させ、その実行出力をＯＰ出力命令として出力する処理タスク実行手段４と、ＯＰ出力命令を入力し、ＯＰ出力を出力し、モジュール化されたＯＰ出力部品５１を参照するＯＰ出力処理手段５と、ＯＰ出力処理手段５からのＯＰ出力を入力し、ＷＡＮ７００に適合した通信プロトコルに基づくＯＰ出力にＩＤおよび送信時刻情報を付加して出力するＯＰ出力遠隔通信送信手段７１と、イベント遠隔通信送信手段６１からの通信プロトコルに基づいたイベントを入力し受信時刻情報を付加して、イベントを出力するイベント遠隔通信受信手段６２と、イベント遠隔通信受信手段６２の出力するイベントをイベントテーブル６５で管理し、送信時刻順にイベント入力配送手段２に出力するイベント序列配送手段６４とにて成る。
【００１２】
次に上記のように構成された実施の形態１のプラント監視用マンマシン装置の動作について説明する。まず、オペレータの操作によるイベントの発生を基に実行される処理について、図２ないし図４のフローチャートに基づいて説明する。まず、タッチパネル１２、キーボード１３、マイク１５等のオペレータ入出力機器１００からオペレータの要求がオペレータ入出力手段１を通してイベントとして入力される（図２のステップＳ１）。そして、このイベントがイベント遠隔通信送信手段６１へ送信される（図２のステップＳ２）。
【００１３】
次に、イベント遠隔通信送信手段６１では入力されたイベントに対して、ＷＡＮ７００の通信プロトコルに基づいたイベントに変換する（図２のステップＳ３）。次に、イベント遠隔通信送信手段６１がイベントを出力する際、イベントデータにＩＤおよび送信時の送信時刻情報を付加する（図２のステップＳ４）。次に、ＷＡＮ７００を介してイベント遠隔通信受信手段６２にイベントを送信する（図２のステップＳ５）。次に、イベントを受信したイベント遠隔通信受信手段６２はそのイベントデータに受信時刻の情報を付加する（図２のステップＳ６）。次に、イベント遠隔通信受信手段６２では、入力されたＷＡＮ７００の通信プロトコルに基づいたイベントをプロトコル変換（逆変換）する（図２のステップＳ７）。次に、イベント序列配送手段６４はイベントテーブル６５にイベント情報を追加する（図２のステップＳ８）。
【００１４】
次に、イベントテーブル６５をイベントの送信時刻でソートする（図２のステップＳ９）。次に、イベント序列配送手段６４は、イベントの受信時刻から設定されたある所定時間が経過したイベントを検索する（図２のステップＳ１０）。そして、イベント序列配送手段６４はイベントテーブル６５の先頭からその検索された受信時刻のイベントまでの全イベントをイベント入力配送手段２へ配送する（図２のステップＳ１１）。このイベントの配送を図５を例に説明する。時刻Ｂ２が所定時間とすると、その時刻Ｂ２（所定時間）のイベントＩＤ３までにソートされているイベントであるイベントＩＤ１〜３を、その送信時刻順にイベント入力配送手段２へ配送する。よって、受信時刻が時刻Ｂ２より後の時刻Ｂ３を有するイベントＩＤ２であっても、送信時刻がイベントＩＤ３の時刻Ａ３より前の時刻Ａ２でありイベントＩＤ３より前にソートされているため実行されるイベントとして選択される。
【００１５】
次に、イベント入力配送手段２では入力されたイベントに応じて、イベント入力配送情報２１を参照する（図３のステップＸ１）。次に、イベントの種類をタスク起動かＯＰ出力かを検索して出力する（図３のステップＸ２）。次に、タスク起動の場合には、処理タスク起動手段３には指令イベントを送信する（図３のステップＸ３）。次に、処理タスク起動手段３は指令イベントに応じて、処理タスク起動情報３１を参照する（図３のステップＸ４）。次に、処理タスク実行手段４へ起動命令を送信する（図３のステップＸ５）。次に、処理タスク実行手段４では起動命令に応じた処理タスク４１を実行する（図３のステップＸ６）。次に、処理タスク実行手段４の出力のＯＰ出力命令がＯＰ出力処理手段５へ出力処理であるか否かを判断する（図３のステップＸ７）。次に、ＯＰ出力の必要がないと判断されれば処理を終了する。また、ＯＰ出力があると判断されるとＯＰ出力処理手段５にＯＰ出力命令が送信される（図３のステップＸ８）。次に、ＯＰ出力処理手段５はモジュール化されたＯＰ出力部品５１を使用して、ＯＰ出力処理を行う（図３のステップＸ９）。
【００１６】
次に、ＯＰ出力遠隔通信送信手段７１にＯＰ出力を送信する（図４のステップＹ１）。次に、ＯＰ出力遠隔通信送信手段７１では入力されたＯＰ出力を、ＷＡＮ７００の通信プロトコルに基づいたＯＰ出力に変換する（図４のステップＹ２）。次に、ＯＰ出力遠隔通信送信手段７１がＯＰ出力を出力する際、ＯＰ出力データにＩＤおよび送信時の送信時刻情報を付加する（図４のステップＹ３）。次に、ＷＡＮ７００を介してＯＰ出力遠隔通信受信手段７２にＯＰ出力を送信する（図４のステップＹ４）。次に、ＯＰ出力遠隔通信受信手段７２はＯＰ出力に受信時刻情報を付加する（図４のステップＹ５）。次に、ＯＰ出力遠隔通信受信手段７２では入力されたＷＡＮ７００の通信プロトコルに基づいたＯＰ出力をプロトコル変換（逆変換）する（図４のステップＹ６）。
【００１７】
次に、ＯＰ出力テーブル７５にＯＰ出力情報を追加する（図４のステップＹ７）。次に、ＯＰ出力テーブル７５をＯＰ出力の送信時刻でソートする（図４のステップＹ８）。次に、ＯＰ出力序列配送手段７４は、ＯＰ出力受信時刻から設定されたある所定時間が経過したＯＰ出力を検索する（図４のステップＹ９）。そして、検索されたＯＰ出力テーブル７５の先頭からそのＯＰ出力までの全ＯＰ出力をオペレータ入出力手段１へ送信する（図４のステップＹ１０）。このＯＰ出力の送信を図６を例に説明する。時刻Ｂ２が所定時間とすると、その時刻Ｂ２（所定時間）のＯＰ出力ＩＤ３までにソートされているＯＰ出力であるＯＰ出力ＩＤ１〜３を、その送信時刻順にオペレータ入出力手段１へ送信する。よって、受信時刻が時刻Ｂ２より後の時刻Ｂ３を有するＯＰ出力ＩＤ２であっても、送信時刻がＯＰ出力ＩＤ３の時刻Ａ３より前の時刻Ａ２でありＯＰ出力ＩＤ３より前にソートされているため実行されるＯＰ出力として選択される。
【００１８】
上記のように構成された実施の形態１のプラント監視用マンマシン装置によれば、プラント監視部と遠隔端末とをＷＡＮを介して遠隔地に配置することが可能になるとともに、ＷＡＮを介してイベントを送受信しているため、ＷＡＮ内部での遅延などの影響で、イベント遠隔通信送信手段が送信するイベントの順序と、イベント遠隔通信受信手段が受信する順序が異なる現象が発生したり、ＯＰ出力遠隔通信送信手段とＯＰ出力遠隔通信受信手段とのＯＰ出力の送受信においても同様に受信する順序が異なる現象が起きても、イベント及びＯＰ出力は送信順序通りに受信側で処理することができ、オペレータが意図する順序で遠隔監視を行うことができる。
【００１９】
実施の形態２．
図７（ａ）はこの発明の実施の形態２を示すプラント監視用マンマシン装置の構成を示す図、図７（ｂ）は各部分の詳細な構成を示す図である。図８は図７に示したプラント監視用マンマシン装置の動作を説明するためのフローチャート、図９は図７に示したプラント監視用マンマシン装置のイベント遠隔通信送信情報の構成を示した図である。図において、上記実施の形態１と同様の部分は同一符号を付して説明を省略する。イベント遠隔通信送信手段６１がイベントを配送する際参照となるイベント遠隔通信送信情報６３を備える。
【００２０】
次に、上記のように構成された実施の形態２のプラント監視用マンマシン装置の動作について図８のフローチャートおよび図９に基づいて説明する。図８は上記実施の形態１のフローチャートの図２のステップＳ４に相当し、他の部分は同一であるためその説明は省略する。まず、上記実施の形態１では遠隔端末７１１のイベント遠隔通信送信手段６１がイベントを送信する先が１つのイベント遠隔通信受信手段６２であったが、この実施の形態２ではプラント監視部を複数備えているため、イベント遠隔通信送信手段６１は、イベント遠隔通信送信情報６３を参照する（図８のステップＴ１）。このイベント遠隔通信送信情報６３は、図９に示すようにイベントの種別によってイベントの送信先が定義されている。例えば、イベント１はイベント遠隔通信受信手段１へ送信する。このイベント遠隔通信受信手段１とはプラント監視部の種別を定義するものである。よって、イベント遠隔通信送信手段６１はイベント遠隔通信送信情報６３の定義に従って、イベントを１つまたは複数のイベント遠隔通信受信手段６２に送信する（図８のステップＴ２）。
【００２１】
上記のように構成された実施の形態２のプラント監視用マンマシン装置によれば、上記実施の形態１と同様の効果を奏するものはもちろんのこと、複数のプラントを１つの遠隔端末で集中的に遠隔監視することができる。
【００２２】
実施の形態３．
図１０（ａ）はこの発明の実施の形態３を示すプラント監視用マンマシン装置の構成を示す図で、図１０（ｂ）は各部分の構成を詳細に示すブロック図である。図１１は図１０にて示したプラント監視用マンマシン装置の動作を説明するためのフローチャート、図１２は図１０にて示したプラント監視用マンマシン装置のＯＰ出力遠隔通信送信情報の構成を示した図である。図において、上記各実施の形態と同様の部分は同一符号を付して説明を省略する。ＯＰ出力遠隔通信送信手段７１がＯＰ出力を配送する際参照となるＯＰ出力遠隔通信送信情報７３を備える。
【００２３】
次に、上記のように構成された実施の形態３のプラント監視用マンマシン装置の動作について図１１のフローチャートおよび図１２に基づいて説明する。図１１は上記実施の形態１のフローチャートの図４のステップＹ４に相当し、他の部分は同一であるためその説明は省略する。まず、上記実施の形態１ではプラント監視部７０１、７０２のＯＰ出力遠隔通信送信手段７１がＯＰ出力を送信する先が１つのＯＰ出力遠隔通信受信手段７２であったが、この実施の形態３では遠隔端末を複数備えているため、ＯＰ出力遠隔通信送信手段７１は、ＯＰ出力遠隔通信送信情報６３を参照する（図１１のステップＷ１）。このイベント遠隔通信送信情報６３は、図１２に示すようにＯＰ出力の種別によってＯＰ出力の送信先が定義されている。例えば、ＯＰ出力１はＯＰ出力遠隔通信受信手段１へ送信する。このＯＰ遠隔通信受信手段１とは遠隔端末の種別を定義するものである。ＯＰ出力遠隔通信送信手段７１はＯＰ出力遠隔通信送信情報７３の定義に従って、ＯＰ出力を１つあるいは複数のＯＰ出力遠隔通信受信手段７２に送信する（図１１のステップＷ２）。
【００２４】
上記のように構成された実施の形態３のプラント監視用マンマシン装置によれば、上記実施の形態１と同様の効果を奏するものはもちろんのこと、複数のプラント監視部と複数の遠隔端末とをそれぞれ遠隔地に配置することが可能にとなり、複数のプラントを複数の遠隔端末で遠隔監視することができ、より柔軟な遠隔監視の構成をとることができる。
【００２５】
尚、上記各実施の形態においては、イベント遠隔通信送信手段の出力するＷＡＮ通信プロトコルに基づくイベント、及びイベント遠隔通信受信手段の入力するＷＡＮ通信プロトコルに基づくイベントを、汎用通信プロトコルであるＨＴＴＰに基づくイベントにて構成しても良いことは言うまでもなく、このような汎用プロトコルで行うことによって、より一般的なＷＡＮを介しての遠隔監視を行うことができる。
【図面の簡単な説明】
【００２６】
【図１】この発明の実施の形態１によるプラント監視用マンマシン装置の構成を示した図である。
【図２】図１に示したプラント監視用マンマシン装置の処理を説明するためのフローチャートである。
【図３】図１に示したプラント監視用マンマシン装置の処理を説明するためのフローチャートである。
【図４】図１に示したプラント監視用マンマシン装置の処理を説明するためのフローチャートである。
【図５】図１に示したプラント監視用マンマシン装置におけるイベントテーブルの構成を示した図である。
【図６】図１に示したプラント監視用マンマシン装置におけるＯＰ出力テーブルの構成を示した図である。
【図７】この発明の実施の形態２によるプラント監視用マンマシン装置の構成を示した図である。
【図８】図７に示したプラント監視用マンマシン装置の処理を説明するためのフローチャートである。
【図９】図７に示したプラント監視用マンマシン装置によるイベント遠隔通信送信情報の構成を示した図である。
【図１０】この発明の実施の形態３によるプラント監視用マンマシン装置の構成示した図である。
【図１１】図１０に示したプラント監視用マンマシン装置の処理を説明するためのフローチャートである。
【図１２】図１０に示したプラント監視用マンマシン装置に示したＯＰ出力遠隔通信送信情報の構成を示した図である。
【符号の説明】
【００２７】
１  オペレータ入出力手段、２  イベント入力配送手段、９  プラント、
６１  イベント遠隔通信送信手段、６２  イベント遠隔通信受信手段、
６３  イベント遠隔通信送信情報、６４  イベント序列配送手段、
６５  イベントテーブル、７１  ＯＰ出力遠隔通信送信手段、
７２  ＯＰ出力遠隔通信受信手段、７３  ＯＰ出力遠隔通信送信情報、
７４  ＯＰ出力序列配送手段、７５  ＯＰ出力テーブル、
１００  オペレータ入出力機器、７１１，７１２，７１３  遠隔端末、７００  ＷＡＮ、
７０１，７０２  プラント監視部。
【図１】
2006185263.tif 000003
【図２】
2006185263.tif 000004
【図３】
2006185263.tif 000005
【図４】
2006185263.tif 000006
【図５】
2006185263.tif 000007
【図６】
2006185263.tif 000008
【図７】
2006185263.tif 000009
【図８】
2006185263.tif 000010
【図９】
2006185263.tif 000011
【図１０】
2006185263.tif 000012
【図１１】
2006185263.tif 000013
【図１２】
2006185263.tif 000014